(57)【要約】【課題】    縦横部材の交差部まわりの構造を簡単にし、容易な設置作業で水密性能を確保することができるＰＣカーテンウォール、およびこれを備えた建物を提供すること。【解決手段】格子状に配置した縦横のＰＣ版２０，３０でガラスパネル１２を支持した、つまり、方立を縦ＰＣ版２０で構成し、無目を横ＰＣ版３０で構成したので、アルミ押出形材製の方立や無目と比較して断面形状の自由度が高まるため、縦横のＰＣ版２０，３０同士の交差部まわりの構造を簡単にすることができる。また、横ＰＣ版３０の上面溝部３１は、下方および側方が囲まれ上方のみに開放した形状を有し、かつ縦ＰＣ版２０の凹溝部２２下方まで延びて設けられているので、上面溝部３１や凹溝部２２に浸入した雨水等が側方に流れ出さず、カーテンウォール１０の水密性能を確保することができる。【選択図】  図１
2005213859.tif 000002
【特許請求の範囲】
【請求項１】
格子状に配置された縦横のＰＣ版と、これら縦横のＰＣ版で囲まれた開口に配置される面材とを備え、
前記縦ＰＣ版の見付け方向左右の端縁、および前記横ＰＣ版の上下の端縁には、前記開口の四周に沿って連続し、シール材を介して前記面材の端縁を支持する略凹溝状の面材支持部が設けられ、
前記面材支持部のうち、横ＰＣ版上端縁の面材支持部は、当該横ＰＣ版の上面から下方に凹み、底面および四方の側面を有して形成された上面溝部であり、この上面溝部が前記縦ＰＣ版の面材支持部下方まで延びて設けられているＰＣカーテンウォール。
【請求項２】
前記横ＰＣ版における上面溝部の底面には、当該横ＰＣ版を貫通して室外空間に連通された少なくとも１つの排水孔が設けられている請求項１に記載のＰＣカーテンウォール。
【請求項３】
前記縦ＰＣ版は、横目地を介して上下に連続して配置され、当該縦ＰＣ版の見付け方向左右の端縁には、前記横ＰＣ版の端部を飲み込む切欠きが形成され、
前記横ＰＣ版は、隣接した前記縦ＰＣ版の切欠き間に渡って配置されている請求項１または請求項２に記載のＰＣカーテンウォール。
【請求項４】
前記横ＰＣ版下端縁の面材支持部、または前記縦ＰＣ版左右端縁の面材支持部は、当該横ＰＣ版の下面、または縦ＰＣ版の側面に形成された突部と、前記面材の上端縁、または側端縁を室内側から前記突部に向かって押圧する押縁とで構成されている請求項１から請求項３のいずれかに記載のＰＣカーテンウォール。
【請求項５】
請求項１から請求項４のいずれかに記載のＰＣカーテンウォールを備えた建物。
【発明の詳細な説明】
【技術分野】
【０００１】
本発明は、カーテンウォール、およびこれを備えた建物に関する。詳しくは、外壁面を構成する複数のＰＣ版と、これらのＰＣ版に支持されるガラスパネル等の面材とを備えて構成されるＰＣカーテンウォール、およびこのＰＣカーテンウォールで外壁面が構成された建物に関する。
【背景技術】
【０００２】
従来より、建物の外壁面において、上下に延びる方立を建物躯体に固定し、隣接する方立間に無目を架設し、これらの方立および無目で囲まれた内部にガラスパネル等の面材を嵌め込んで構成したカーテンウォールが知られている（例えば、特許文献１、２参照）。
これら従来のカーテンウォールでは、方立および無目は、ともにアルミ製の押出形材から形成され、これらの方立および無目に凹溝状の保持溝（飲み込み溝）形成され、この保持溝に面材の端縁が挿入され、気密材（シール材）を介して支持されている。また、無目は、その端縁がシーラーを介して方立側面に突き合わされてビス止めにより方立に固定されており、無目の保持溝は、方立の保持溝に嵌挿された排水ブロック（溝塞ぎ部材）によって方立の保持溝と連続されるようになっている。これにより、万一、気密材と面材との間から方立や無目の保持溝内部に水が浸入した場合でも、浸入した水を無目の保持溝に設けた排水孔から外部に排水できるようになっている。
【０００３】
【特許文献１】特開平７−２６９０００号公報
【特許文献２】特開平７−３００９２９号公報
【発明の開示】
【発明が解決しようとする課題】
【０００４】
しかしながら、従来のカーテンウォールでは、方立および無目がアルミ押出形材製であり、それぞれの長手方向について同一の断面形状に制約されるため、方立および無目の接合部における排水ブロック等が一体に形成できず、別体で形成したゴム製等の排水ブロック等を連結する必要がある。さらに、排水ブロックと方立や無目との間に止水材を注入して止水性を確保する必要があり、接合部まわりの構造が複雑になって部品点数が増大してしまうとともに、接合作業に手間と時間が掛かってしまうという問題がある。
【０００５】
本発明の目的は、縦横部材の交差部まわりの構造を簡単にし、容易な設置作業で水密性能を確保することができるＰＣカーテンウォール、およびこれを備えた建物を提供することにある。
【課題を解決するための手段】
【０００６】
本発明のＰＣカーテンウォールは、格子状に配置された縦横のＰＣ版と、これら縦横のＰＣ版で囲まれた開口に配置される面材とを備え、前記縦ＰＣ版の見付け方向左右の端縁、および前記横ＰＣ版の上下の端縁には、前記開口の四周に沿って連続し、シール材を介して前記面材の端縁を支持する略凹溝状の面材支持部が設けられ、前記面材支持部のうち、横ＰＣ版上端縁の面材支持部は、当該横ＰＣ版の上面から下方に凹み、底面および四方の側面を有して形成された上面溝部であり、この上面溝部が前記縦ＰＣ版の面材支持部下方まで延びて設けられていることを特徴とする。
【０００７】
ここで、ＰＣ版とは、プレキャストコンクリート版を意味する。
このような構成では、格子状に配置した縦横のＰＣ版で面材を支持した、つまり、方立を縦ＰＣ版で構成し、無目を横ＰＣ版で構成したので、アルミ押出形材製の方立や無目と比較して断面形状の自由度が高まり、ＰＣ版自体に凹凸等を容易に形成できるため、別体の排水ブロック等を用いなくても縦横のＰＣ版同士の接合部分が構成でき、縦横のＰＣ版の交差部まわりの構造を簡単にすることができる。
また、横ＰＣ版の上面溝部が底面および四方の側面を有して形成される、つまり、上面溝部は下方および側方が囲まれ上方のみに開放した形状を有しているので、面材とシール材との間から浸入した雨水等が上面溝部の側方に流れ出さないようにできる。さらに、横ＰＣ版の上面溝部が縦ＰＣ版の面材支持部下方まで延びて設けられているので、縦横のＰＣ版を組み合わせるだけの容易な設置作業で、縦ＰＣ版の面材支持部と横ＰＣ版の上面溝部とを連続させ、縦ＰＣ版の面材支持部に浸入した雨水等を上面溝部で受けることができ、カーテンウォールの水密性能を確保することができる。
【０００８】
また、ＰＣ版は、それ自体が高い剛性、強度や耐火性、断熱性を有し、かつ熱伸びも小さいことから、アルミ製の方立や無目と比較して、次の点で優れている。すなわち、剛性および強度が高いことで、ＰＣ版の部材長さ寸法を長尺にすることができ、高い階高や大スパンの開口面、つまり開口面積の大きな外壁面を構成することができる。さらに、一般的な取付ファスナを介して建物躯体に取り付けることができ、縦横のＰＣ版の各々を躯体に取り付けるようにすれば、縦横のＰＣ版同士を連結する必要がなく、交差部の構造をより簡単にすることができる。そして、ＰＣ版がアルミ形材と比較して耐火性、断熱性に優れるので、耐火被覆や断熱材等の仕上げ材が節約でき、製造コストを低減させることができる。さらに、ＰＣ版はアルミ形材よりも熱伸びが小さいので、縦横のＰＣ版の交差部や、躯体との連結部において、熱伸びに対するクリアランス（目地幅等）をほとんど考慮する必要がなく、この点でも交差部や連結部まわりの構造を簡単にすることができる。
【０００９】
この際、本発明のＰＣカーテンウォールでは、前記横ＰＣ版における上面溝部の底面には、当該横ＰＣ版を貫通して室外空間に連通された少なくとも１つの排水孔が設けられていることが望ましい。
このような構成では、万一、面材の室外面と縦横のＰＣ版の面材支持部の間に介挿されたシール材部分から面材支持部内に雨水が浸入しても、浸入した雨水を横ＰＣ版の上面溝部に導き、さらに排水孔を介して室外に排水することができる。従って、カーテンウォールにおける水密性をさらに向上させることができる。
【００１０】
さらに、本発明のＰＣカーテンウォールでは、前記縦ＰＣ版は、横目地を介して上下に連続して配置され、当該縦ＰＣ版の見付け方向左右の端縁には、前記横ＰＣ版の端部を飲み込む切欠きが形成され、前記横ＰＣ版は、隣接した前記縦ＰＣ版の切欠き間に渡って配置されていることが望ましい。
このような構成では、縦ＰＣ版の切欠きに横ＰＣ版の端部を飲み込ませることで、横ＰＣ版の上面溝部を縦ＰＣ版の面材支持部下方に容易に位置させることができる。すなわち、横ＰＣ版の上面溝部のみを側方に延ばして形成しておき、この上面溝部を縦ＰＣ版の面材支持部下方に位置させることも可能であるが、縦ＰＣ版の見付け方向左右の端縁に切欠きを形成しておけば、横ＰＣ版を全体略直方体状（正面略矩形状）に形成して、その端部を縦ＰＣ版の切欠きに飲み込ませるだけで上面溝部が縦ＰＣ版の面材支持部下方に位置するため、ＰＣ版の製造に係る型枠が簡単になり、より一層のコスト低減が可能になる。
【００１１】
また、本発明のＰＣカーテンウォールでは、前記横ＰＣ版下端縁の面材支持部、または前記縦ＰＣ版左右端縁の面材支持部は、当該横ＰＣ版の下面、または縦ＰＣ版の側面に形成された突部と、前記面材の上端縁、または側端縁を室内側から前記突部に向かって押圧する押縁とで構成されていることが望ましい。
このような構成では、押縁を取り外した状態で、横ＰＣ版および縦ＰＣ版で囲まれた開口部分に面材をけんどん式で嵌め込み、横ＰＣ版の下端縁、または縦ＰＣ版の側端縁に室内側から押縁を取り付けることで、面材の取り付けを室内側から容易に実行することができる。すなわち、横ＰＣ版下端縁の面材支持部を突部および押縁で構成した場合には、縦ＰＣ版側端縁の面材支持部を凹溝から形成しておくだけで、面材を左右方向のけんどん式で嵌め込むことができ、左右の縦ＰＣ版側端縁の面材支持部を突部および押縁で構成した場合には、横ＰＣ版下端縁の面材支持部を凹溝から形成しておくだけで、面材を上下方向のけんどん式で嵌め込むことができる。
【００１２】
一方、本発明の建物は、前記いずれかのＰＣカーテンウォールを備えたことを特徴とする。
このような建物では、前述と同様の作用効果を奏することができ、本発明の目的を達成することができる。
【発明を実施するための最良の形態】
【００１３】
以下、本発明の一実施形態を図面に基づいて説明する。
図１は、本実施形態に係るＰＣカーテンウォール１０により外壁面が形成された建物１の一部を示す外観姿図である。図２は、カーテンウォール１０の縦断面図であり、図１に矢視II−II線で示す断面図である。図３は、カーテンウォール１０の横断面図であり、図１に矢視III−III線で示す断面図である。図４、５は、それぞれカーテンウォール１０の要部を拡大して示す縦断面図であり、図１に矢視IV−IV線、Ｖ−Ｖ線で示す断面図である。図６、７は、それぞれカーテンウォール１０の要部を拡大して示す横断面図であり、図１に矢視VI−VI線、VII−VII線で示す断面図である。図８、９は、それぞれカーテンウォール１０の要部を示す斜視図である。
【００１４】
建物１の外壁面は、複数のＰＣ（プレキャストコンクリート）版１１と、ＰＣ版１１に支持された面材としてのガラスパネル１２とを備えたＰＣカーテンウォール１０によって構成されている。
ＰＣ版１１は、建物１の柱２前方位置で上下フロアの床スラブ３間に渡って設けられた縦ＰＣ版２０と、各フロアの床レベル（図中ＦＬで示す）近傍の高さ位置（スパンドレル部）に設けられた横ＰＣ版３０とが、格子状に配置されて構成されている。縦ＰＣ版２０は、図３、５、８に示すように、各フロアの床スラブ３に設けられたファスナ５によって建物１の躯体に固定されている。横ＰＣ版３０は、図２、８に示すように、各フロアの床スラブ３に設けられたファスナ６、および梁４に適宜ブラケット等を介して取り付けられたファスナ７によって建物１の躯体に固定されている。
【００１５】
縦ＰＣ版２０は、上下方向に長尺な正面矩形板状の部材であり、上下フロアの縦ＰＣ版２０同士が互いに横目地１３を介して連続的に並べて配置されている。縦ＰＣ版２０は、横ＰＣ版３０よりも見込み寸法が厚く形成されており、縦ＰＣ版２０の上部室内側には、図３、６〜９に示すように、横ＰＣ版３０の端部を飲み込む切欠き２１が形成されている。横ＰＣ版３０は、水平方向に長尺な正面矩形板状の部材であり、隣接する縦ＰＣ版２０間に渡って配置され、横ＰＣ版３０の両端部が縦ＰＣ版２０の切欠き２１に飲み込まれている。そして、切欠き２１に飲み込まれた横ＰＣ版３０の端部と、縦ＰＣ版２０との間には、湿式のシリコンシール１８（図４、７）が介挿されている。
【００１６】
ガラスパネル１２は、格子状に配置された縦横のＰＣ版２０，３０で囲まれた開口１４に３枚ずつ配置され、ガラスパネル１２同士の間は、上下の横ＰＣ版３０間に架設された方立１５で仕切られている。方立１５は、図３に示すように、断面略Ｈ型状のアルミ押出形材製であり、上下の横ＰＣ版３０に図示しないブラケット等を介して固定されている。そして、各ガラスパネル１２の四周は、縦ＰＣ版２０、横ＰＣ版３０および方立１５に、湿式のシール材であるシリコンシール１６やバックアップ材１７（図４、６）を介して支持されている。以上のように、本実施形態のＰＣカーテンウォール１０は、縦ＰＣ版２０で方立が構成され、横ＰＣ版３０で無目が構成され、これらで囲まれた開口１４に面材であるガラスパネル１２が嵌め込まれて構成されている。
【００１７】
横ＰＣ版３０の上端面には、ガラスパネル１２の下端縁を支持する断面略凹溝状の面材支持部としての上面溝部３１が、横ＰＣ版３０の長手方向に沿って形成されている。この上面溝部３１は、横ＰＣ版３０の上端面を下方に凹ませて下方および四側方が囲まれ上方のみに開放して形成され、つまり底面３２、横ＰＣ版３０の長手方向に沿った二側面３３、および横ＰＣ版３０端部側の二側面３４（図７）を有している。この上面溝部３１の底面３２には、断面略コ字形のセッティングブロック３５が設置され、このセッティングブロック３５の上にガラスパネル１２が載置されている。また、上面溝部３１の室内外の側面３３とガラスパネル１２の室外内面との間には、それぞれシリコンシール１６およびバックアップ材１７が介挿されている。
なお、シール材としては、シリコン製に限らず、他の合成樹脂製の湿式シール材でもよく、また、ゴム製などの乾式のシール材でもよい。
【００１８】
一方、横ＰＣ版３０の下端面には、ガラスパネル１２の上端縁の室外側位置で下方に向かって突出し、横ＰＣ版３０の長手方向に沿った支持突部３６が形成されている。この支持突部３６に対してガラスパネル１２を挟んだ室内側には、横ＰＣ版３０の下端面にアタッチメント３７が図示しないアンカーボルトで固定され、このアタッチメント３７に断面角形筒状の押縁３８が着脱自在に取り付けられている。つまり、横ＰＣ版３０の下端面には、支持突部３６および押縁３８により凹溝状の面材支持部３９が形成されており、この面材支持部３９にガラスパネル１２の上端縁が支持されている。そして、支持突部３６および押縁３８と、ガラスパネル１２との間には、前記横ＰＣ版３０の上面溝部３１と同様のシリコンシール１６およびバックアップ材１７が介挿されている。このような横ＰＣ版３０の下端面において、ガラスパネル１２を嵌め込み、押縁３８を取り付けた後、バックアップ材１７およびシリコンシール１６の施工を実施することで、ガラスパネル１２の上端縁が押縁３８で室内側から支持突部３６に向かって押圧され、室外側の支持突部３６と押縁３８とで挟持されることになる。また、押縁３８と横ＰＣ版３０の下端面との間には、シリコンシール１６が介挿されている。
なお、押縁３８を固定するアタッチメント３７は、横ＰＣ版３０の下端面にアンカーボルト等で固定されたものに限らず、横ＰＣ版３０に打ち込まれ（埋め込まれ）て下端面から突出されたものでもよい。
【００１９】
また、横ＰＣ版３０の上面溝部３１は、図４、９に示すように、横ＰＣ版３０を上下に貫通する排水管４０によって室外空間に連通されている。排水管４０は、横ＰＣ版３０に打ち込まれた断面略扁平角形筒状のアルミ製であり、図１に示すように、１つの横ＰＣ版３０に複数箇所（本実施形態では、６箇所）設けられている。そして、排水管４０の上端は、上面溝部３１の底面３２に開口した排水孔４１とされ、排水管４０の下端は、ガラスパネル１２よりも室外側の支持突部３６の下端に開口した排水孔４２とされている。また、排水管４０の下端部と横ＰＣ版３０のコンクリートとの間には、シール材４３が介挿されている。このような排水管４０によって、横ＰＣ版３０の上面溝部３１に万一雨水等が浸入した場合でも、浸入した雨水等を室外に排水できるようになっている。さらに、排水管４０を介して外気が上面溝部３１に導入されるので、上面溝部３１内の気圧が室外と等圧となり、上面溝部３１への気圧差による雨水等の浸入を防止することができるようになっている。
なお、排水管４０は、アルミ製に限らず、塩ビ管やステンレス管であってもよい。
【００２０】
縦ＰＣ版２０の見付け方向左右の側端面には、図６に示すように、ガラスパネル１２の側端縁を支持する断面略凹溝状の面材支持部としての凹溝部２２が、上下方向に沿って形成されている。この凹溝部２２は、横ＰＣ版３０の側端面を凹ませて形成されている。そして、凹溝部２２の室内外の側面とガラスパネル１２の室外内面との間には、それぞれシリコンシール１６およびバックアップ材１７が介挿されている。また、前記横ＰＣ版３０の上面溝部３１の端部側面３４は、図７に示すように、縦ＰＣ版２０の凹溝部２２の下方位置まで延びて設けられている。これにより、縦ＰＣ版２０の凹溝部２２に万一雨水等が浸入した場合でも、浸入した雨水等を横ＰＣ版３０の上面溝部３１に導き、前記排水管４０を介して排水できるようになっている。
【００２１】
また、上下フロアの縦ＰＣ版２０間の横目地１３内部は、図５に示すように、上フロアの縦ＰＣ版２０の下端面室外側から下方に突出する凸部２３と、下フロアの縦ＰＣ版２０の上端面室内側から上方に突出する凸部２４と、縦ＰＣ版２０の上端面に形成された傾斜面部２５とから、室内側よりも室外側が下がるように形成されている。また、横目地１３内部には、水平方向に延びる室外側の止水部材（水切りゴム）２６と、室内側の気密部材（ウインドバリア）２７とが設けられている。すなわち、縦ＰＣ版２０の凸部２３に設けられた止水部材２６が下フロアの縦ＰＣ版２０の上端面に当接し、縦ＰＣ版２０の室内側下端面に設けられた気密部材２７が下フロアの縦ＰＣ版２０の凸部２４に当接するようになっている。これにより、上下フロアの縦ＰＣ版２０間の横目地１３部分の止水性が確保されるとともに、万一横目地１３内に雨水等が浸入した場合でも、浸入した雨水等を室外側に排水できるようになっている。
【００２２】
また、縦ＰＣ版２０を床スラブ３に固定するファスナ５は、断面略コ字形の鋼製部材であり、下フランジが床スラブ３にボルト固定されている。そして、ファスナ５の上下に延びるウェブを貫通するボルトによって、下フロアの縦ＰＣ版２０の上端付近がファスナ５に固定される。さらに、ファスナ５の上フランジ上面には、上方に突出する係止ピン５Ａが設けられている。上フロアの縦ＰＣ版２０の下端付近には、アングル材２８がボルト固定されており、このアングル材２８の挿通孔を係止ピン５Ａに挿通することで、縦ＰＣ版２０が振れ止めされている。すなわち、縦ＰＣ版２０を建物躯体に建て込む際には、先ずアングル材２８の挿通孔をファスナ５の係止ピン５Ａに挿通し、次に上端側を上フロアのファスナ５にボルト固定する。
【００２３】
以上のＰＣカーテンウォール１０において、ＰＣ版１１およびガラスパネル１２は、以下のような手順で取り付けられる。先ず、上記した手順でいずれかの縦ＰＣ版２０をファスナ５を介して床スラブ３に固定する。そして、固定した縦ＰＣ版２０の上端側（上フロア）において、横ＰＣ版３０の一端部を縦ＰＣ版２０の切欠き２１に飲み込ませながら、横ＰＣ版３０を建て込み、ファスナ６，７を介して床スラブ３に固定する。さらに、先程固定した縦ＰＣ版２０に隣接し、横ＰＣ版３０の他端部側の縦ＰＣ版２０を、同様に建て込んで固定する。このような固定作業を順次実施することで、所定フロアにおける縦横のＰＣ版２０，３０が取り付けが完了する。縦横のＰＣ版２０，３０を取り付けた後に、縦横のＰＣ版２０，３０間をシリコンシール１８でシールする。次に、取り付けが完了したフロアの上フロアにおいて、上述と同様に、縦横のＰＣ版２０，３０を取り付ける。
【００２４】
次に、縦横のＰＣ版２０，３０で形成された開口１４にガラスパネル１２を取り付ける。このガラスパネル１２の取り付けに先だって、前記方立１５を上下の横ＰＣ版３０間に取り付けるとともに、横ＰＣ版３０の上面溝部３１に前記セッティングブロック３５を設置する。その後、室内側から適宜なガラス吸着装置等を用いてガラスパネル１２を略垂直に支持し、横ＰＣ版３０の上端面よりも高く持ち上げた状態で、ガラスパネル１２の一方の側端縁を縦ＰＣ版２０の凹溝部２２または方立１５に挿入し、続いて、他方の側端縁を他方の縦ＰＣ版２０の凹溝部２２または方立１５に挿入する。このように、いわゆる左右けんどん式によりガラスパネル１２を縦ＰＣ版２０間に挿入した後、ガラスパネル１２の下端縁を横ＰＣ版３０の上面溝部３１に挿入して、セッティングブロック３５に載置する。そして、ガラスパネル１２の上端縁位置において、押縁３８を上フロアの横ＰＣ版３０の下端面に取り付ける。この後、ガラスパネル１２の四周において、ガラスパネル１２と縦横のＰＣ版２０，３０、方立１５との間をシリコンシール１６でシールして、ガラスパネル１２の取り付けが完了する。
【００２５】
なお、ガラスパネル１２の取付方法としては、左右のけんどん式で嵌め込むものに限らず、上下のけんどん式で嵌め込む方法が採用できる。
上下のけんどん式でガラスパネル１２を嵌め込む場合には、左右の縦ＰＣ版２０の側端面または方立１５に、横ＰＣ版３０の下端面に設けたのと同様の面材支持部（支持突部および押縁）を設け、横ＰＣ版３０の下端面に凹溝を形成しておく。そして、まずガラスパネル１２の上端縁を横ＰＣ版３０の下端面の凹溝に挿入し、次にガラスパネル１２の下端縁を横ＰＣ版３０の上面溝部３１に挿入して、セッティングブロック３５に載置する。その後、左右の縦ＰＣ版２０の側端面に押縁を取り付けることで、ガラスパネル１２が取り付けられる。
【００２６】
このような本実施形態によれば、以下のような効果がある。
(１) すなわち、格子状に配置した縦横のＰＣ版２０，３０でガラスパネル１２を支持したので、アルミ押出形材と比較して縦横のＰＣ版２０，３０の断面形状の自由度が高まり、ＰＣ版１１自体に凹凸等を容易に形成できるため、縦横のＰＣ版２０，３０の交差部まわりの構造を簡単にすることができる。
【００２７】
(２) また、横ＰＣ版３０の上面溝部３１が底面３２および四方の側面３３，３４を有して形成される、つまり、上面溝部３１が下方および側方が囲まれ上方のみに開放した形状を有しているので、ガラスパネル１２とシリコンシール１６との間から雨水等が浸入した場合でも、この雨水等が上面溝部３１の側方に流れ出さないようにできる。
【００２８】
(３) さらに、横ＰＣ版３０の上面溝部３１が縦ＰＣ版２０の凹溝部２２下方まで延びて設けられているので、縦横のＰＣ版２０，３０を組み合わせるだけの容易な設置作業で、縦ＰＣ版２０の凹溝部２２と横ＰＣ版３０の上面溝部３１とを連続させ、縦ＰＣ版２０の凹溝部２２に浸入した雨水等を上面溝部３１で受けることができ、カーテンウォール１０の水密性能を確保することができる。
【００２９】
(４) また、横ＰＣ版３０の上面溝部３１に開口した排水管４０を設けたので、上面溝部３１に万一雨水等が浸入した場合でも、浸入した雨水等を室外に排水できる。さらに、排水管４０を介して外気が上面溝部３１に導入されるので、上面溝部３１内の気圧が室外と等圧となり、上面溝部３１への気圧差による雨水等の浸入を防止することができる。
【００３０】
(５) また、ＰＣ版１１は、それ自体が高い剛性、強度を有しているので、ＰＣ版１１の部材長さ寸法を長尺にすることができ、高い階高や大スパンの開口１４を構成する、つまり開口面積の大きな外壁面を構成することができる。
【００３１】
(６) さらに、ＰＣ版１１は、一般的な取付ファスナ５，６，７を介して建物躯体に取り付けることができ、縦横のＰＣ版２０，３０の各々を躯体に取り付けることで、縦横のＰＣ版２０，３０同士を連結する必要がなく、交差部の構造をより簡単にすることができる。
【００３２】
(７) また、ＰＣ版１１は、アルミ形材と比較して耐火性、断熱性に優れるので、耐火被覆や断熱材等の仕上げ材が節約でき、製造コストを低減させることができる。さらに、ＰＣ版１１は、アルミ形材よりも熱伸びが小さいので、縦横のＰＣ版２０，３０の交差部や、躯体との連結部において、熱伸びに対するクリアランス（目地幅等）をほとんど考慮する必要がなく、この点でも交差部や連結部まわりの構造を簡単にすることができる。
【００３３】
(８) また、縦ＰＣ版２０に切欠き２１を形成し、この切欠き２１に横ＰＣ版３０の端部を飲み込ませたことで、横ＰＣ版３０の上面溝部３１を縦ＰＣ版２０の凹溝部２２下方に容易に位置させることができるので、横ＰＣ版３０を正面略矩形状の単純な形に形成して、その端部を縦ＰＣ版２０の切欠き２１に飲み込ませるだけでよいため、ＰＣ版１１の製造に係る型枠が簡単になり、より一層のコスト低減が可能になる。
【００３４】
(９) また、横ＰＣ版３０の下端面の面材支持部３９が支持突部３６および押縁３８により形成されるので、押縁３８を取り外した状態で、縦横のＰＣ版２０，３０で囲まれた開口１４にガラスパネル１２をけんどん式で嵌め込み、その後室内側から押縁３８を取り付けることで、ガラスパネル１２の取り付けを室内側から容易に実行することができる。
【００３５】
なお、本発明は、前記実施形態に限定されるものではない。
例えば、前記実施形態では、縦横のＰＣ版２０，３０で囲まれた開口１４を方立１５で３つに仕切り、この仕切られた内部に３枚のガラスパネル１２を配置したが、これに限らず、開口１４と略同一の見付け寸法を有するガラスパネルを用意し、この１枚のガラスパネルを開口１４に嵌め込んでもよく、複数のガラスパネル同士を適宜なシール材等で連結して嵌め込んでもよい。また、面材としては、複層ガラスであるガラスパネル１２に限らず、単板ガラスや合わせガラス、網入りガラス等でもよく、またアルミ製ガラリや、アクリル製パネル等でもよい。
また、前記実施形態では、横ＰＣ版３０の設置位置を各フロアの床レベル近傍のスパンドレル部としたが、これに限らず、腰壁位置や垂れ壁位置であってもよく、また、２層分やそれ以上のフロアに渡る開口部の上下位置に横ＰＣ版を設置してもよい。
【００３６】
また、前記実施形態では、縦横のＰＣ版２０，３０のうちの縦ＰＣ版２０を上下に連続させて配置したが、これに限らず、図１０に示すように、横ＰＣ版３０を水平方向に連続させて配置してもよい。
図１０は、本発明の変形例に係るＰＣカーテンウォール１０Ａを示す外観姿図である。図１０において、隣接する横ＰＣ版３０同士は、縦目地１９Ａを介して連続配置されており、この縦目地１９Ａ位置の上下に縦ＰＣ版２０が配置されている。このように格子状に配置されたの縦横のＰＣ版２０，３０と、これらに支持されたガラスパネル１２とからＰＣカーテンウォール１０Ａが構成されている。
そして、横ＰＣ版３０の上面の上面溝部３１は、前記実施形態のように横ＰＣ版３０の端部近傍まで延びておらず、縦ＰＣ版２０の凹溝部２２下方位置に側面３４が形成されている。これにより、縦ＰＣ版２０の凹溝部２２と横ＰＣ版３０の上面溝部３１とが連続するようになっている。
【００３７】
さらに、前記実施形態では、縦ＰＣ版２０に切欠き２１を設け、この切欠き２１に横ＰＣ版３０の端部を飲み込ませて配置したが、これに限らず、図１１に示すように、横ＰＣ版３０を縦ＰＣ版２０の側端面手前で止めて配置してもよい。
図１１は、本発明の変形例に係るＰＣカーテンウォール１０Ｂを示す外観姿図である。図１１において、縦ＰＣ版２０は、上下に連続して配置されており、横ＰＣ版３０の端縁と縦ＰＣ版２０の側端面とは、縦目地１９Ｂを介して接続されている。このように格子状に配置されたの縦横のＰＣ版２０，３０と、これらに支持されたガラスパネル１２とからＰＣカーテンウォール１０Ｂが構成されている。
そして、横ＰＣ版３０の上面の上面溝部３１は、前記実施形態の上面溝部３１を横ＰＣ版３０の端部まで延長するとともに、横ＰＣ版３０の端部に固定した溝部材３１Ａを連続させて形成されている。溝部材３１Ａは、横ＰＣ版３０の端部側側面が開放され、その反対側に側面３４を有するアルミ製の部材である。この溝部材３１Ａが縦ＰＣ版２０の凹溝部２２下方に位置することで、縦ＰＣ版２０の凹溝部２２と横ＰＣ版３０の上面溝部３１とが連続するようになっている。
【００３８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００３９】
本発明は、建物の外壁面を形成するカーテンウォールに好適であり、特に鉄骨造や鉄骨鉄筋コンクリート造、鉄筋コンクリート造の中層、中高層、高層、超高層建物の外壁面を形成するカーテンウォールに適している。
【図面の簡単な説明】
【００４０】
【図１】本発明の一実施形態に係るＰＣカーテンウォールにより外壁面が形成された建物の一部を示す外観姿図である。
【図２】前記カーテンウォールの縦断面図であり、図１に矢視II−II線で示す断面図である。
【図３】前記カーテンウォールの横断面図であり、図１に矢視III−III線で示す断面図である。
【図４】前記カーテンウォールの要部を拡大して示す縦断面図であり、図１に矢視IV−IV線で示す断面図である。
【図５】前記カーテンウォールの要部を拡大して示す縦断面図であり、図１に矢視Ｖ−Ｖ線で示す断面図である。
【図６】前記カーテンウォールの要部を拡大して示す横断面図であり、図１に矢視VI−VI線で示す断面図である。
【図７】前記カーテンウォールの要部を拡大して示す横断面図であり、図１に矢視VII−VII線で示す断面図である。
【図８】前記カーテンウォールの要部を示す斜視図である。
【図９】前記カーテンウォールの要部を示す斜視図である。
【図１０】本発明の変形例に係るＰＣカーテンウォールを示す外観姿図である。
【図１１】本発明の変形例に係るＰＣカーテンウォールを示す外観姿図である。
【符号の説明】
【００４１】
１…建物、１０，１０Ａ，１０Ｂ…カーテンウォール、１１…ＰＣ版、１２…面材であるガラスパネル、１６…シール材であるシリコンシール、２０…縦ＰＣ版、２１…切欠き、２２…面材支持部である凹溝部、３０…横ＰＣ版、３１…上面溝部、３２…底面、３３，３４…側面、３６…支持突部、３８…押縁、３９…面材支持部、４０…排水管、４１，４２…排水孔。
【図１】
2005213859.tif 000003
【図２】
2005213859.tif 000004
【図３】
2005213859.tif 000005
【図４】
2005213859.tif 000006
【図５】
2005213859.tif 000007
【図６】
2005213859.tif 000008
【図７】
2005213859.tif 000009
【図８】
2005213859.tif 000010
【図９】
2005213859.tif 000011
【図１０】
2005213859.tif 000012
【図１１】
2005213859.tif 000013